(57)【要約】  移動通信機（ＵＥ１）は、画像データコンテンツを含む複数の放送サービスを同時に受信する受信機（９１）を有し、また、チャンネルの１つのコンテンツを通常視聴用に表示する第１のモードと、２つ以上のサービスのコンテンツを表示する第２のモードにおいて、少なくとも１つのサービスのコンテンツに対応する画像を表示するよう操作可能な表示領域を備えた表示装置（２０）を有する。画像（Ｔ１〜Ｔ４）のモザイク表示ができ、その中から第１のモードにおける全画面での視聴用に１つの画像を選択してもよい。画像の切り替えを行うピクチャー・イン・ピクチャー（ＰＩＰ）表示を設備に備えることも可能である。【選択図】  図１
2007525113.tif 000002
【特許請求の範囲】
【請求項１】
電気通信網と無線通信を行うトランシーバと、
複数のサービスに対応するデータコンテンツを同時に提供するよう作動可能な提供手段（１０，２０）と、
放送が配信される際に前記複数のサービスのうち少なくとも１つを受信する受信機（９）と、を備えた移動通信機（ＵＥ）において、
前記提供手段が、前記複数のサービスのうち少なくとも１つのサービスの前記コンテンツに対応する可視表示を提供するよう作動可能な表示領域を備えた表示装置（２０）を含み、
前記表示装置が、前記複数のサービスの１つに対応するコンテンツを通常視聴用に表示する第１のモードと、２つ以上に対応するコンテンツを表示する第２のモードとにおいて作動可能であることを特徴とする移動通信機。
【請求項２】
請求項１に記載の装置であって、
前記第１のモードでの通常視聴用に、前記第２のモードで表示される前記サービスの中からサービスを選択するよう作動可能なユーザインターフェース（２１）を含むことを特徴とする装置。
【請求項３】
請求項１または２に記載の装置であって、
前記表示装置（１０）が前記第２のモードにおいて、前記複数のサービスの１つに対応する前記データコンテンツを他のサービスに対応するデータコンテンツより高品質で表示するよう作動可能であることを特徴とする装置。
【請求項４】
請求項３に記載の装置であって、
前記複数のサービスの１つに対応する前記コンテンツの前記高品質表示がビデオ表示を含み、
他のサービスの前記コンテンツの前記表示が静止画像またはその連続表示を含むことを特徴とする装置。
【請求項５】
請求項３または４に記載の装置であって、
前記表示装置が前記第２のモードにおいて、前記表示されたサービスのうち異なる複数のサービスを前記高品質で表示するよう作動可能であることを特徴とする装置。
【請求項６】
請求項５に記載の装置であって、
前記表示装置が、前記表示されたサービスのうち異なる複数のサービスを高品質で連続して表示するよう作動可能であることを特徴とする装置。
【請求項７】
請求項５または６に記載の装置であって、
どのサービスを前記高品質で表示するかを選択するよう作動可能なユーザインターフェース（２１）を含むことを特徴とする装置。
【請求項８】
請求項１乃至７のいずれか１つに記載の装置であって、
前記第２のモードでコンテンツを表示させるサービスの数をユーザが選択するよう作動可能なインターフェース（１１）を含むことを特徴とする装置。
【請求項９】
請求項１乃至８のいずれか１つに記載の装置であって、
前記第２のモードにおいてどのサービスのコンテンツを表示させるかをユーザが選択するよう作動可能なインターフェース（１１）を含むことを特徴とする装置。
【請求項１０】
請求項１乃至９のいずれか１つに記載の装置であって、
前記表示装置が前記第２のモードにおいて、前記複数のサービスの前記コンテンツを、これらに対応する画像タイル（Ｔ）を寄せ集めた状態で表示するよう作動可能であることを特徴とする装置。
【請求項１１】
請求項１乃至１０のいずれか１つに記載の装置であって、
前記画像タイルのサイズが同じであることを特徴とする装置。
【請求項１２】
請求項１乃至１１のいずれか１つに記載の装置であって、
前記画像タイルが、１つのタイルが他方のタイルまたは他の各タイルより大きいように構成されていることを特徴とする装置。
【請求項１３】
請求項１２に記載の装置であって、
前記相対的に大きいタイルが他方のタイルまたは他の各タイルより高品質の画像を表示することを特徴とする装置。
【請求項１４】
請求項１０乃至１３のいずれか１つに記載の装置であって、
前記タイルのうち選択された１つの前記サイズおよび／または位置を変更するユーザインターフェース（１１）を含むことを特徴とする装置。
【請求項１５】
請求項１０乃至１４のいずれか１つに記載の装置であって、
前記タイルの少なくとも１つが、他方のタイルまたは他の各タイルと重なることを特徴とする装置。
【請求項１６】
請求項１０乃至１４のいずれか１つに記載の装置であって、
前記タイルが互いに接することを特徴とする装置。
【請求項１７】
請求項１乃至１０のいずれか１つに記載の装置であって、
前記表示装置（２０）が前記第２のモードにおいて、前記複数のサービスのうちの第１のサービスに対応する第１の画像を、第２のサービスに対応するコンテンツを表示する第２の領域内の第１の領域に、前記第１の領域が前記第２の領域より小さくなるよう表示するピクチャー・イン・ピクチャー（ＰＩＰ）表示で前記サービスを表示するよう作動可能であることを特徴とする装置。
【請求項１８】
請求項１７に記載の装置であって、
前記第１の領域が前記第２の領域に切り替わるよう前記第１の領域に表示される前記第１のサービスのコンテンツを切り替えると同時に、前記第２の領域が前記第１の領域に切り替わるよう前記第２の領域に表示される前記第２のサービスのコンテンツを切り替えるように作動可能なユーザインターフェース（２１）を含むことを特徴とする装置。
【請求項１９】
請求項１乃至１８のいずれか１つに記載の装置であって、
前記受信機（９）が、前記サービスのうちの複数に対応するＤＶＢ放送を受信するよう作動可能であることを特徴とする装置。
【請求項２０】
請求項１乃至１９のいずれか１つに記載の装置であって、
ビデオコンテンツを再生用に録画して、前記表示された複数のサービスの１つの前記コンテンツを提供するレコーダを含むことを特徴とする装置。
【請求項２１】
請求項１乃至２０のいずれか１つに記載の装置であって、
前記複数のサービスの少なくとも１つに対応する分離可能なメモリ格納データを受信する手段を含むことを特徴とする装置。
【請求項２２】
請求項１乃至２１のいずれか１つに記載の装置であって、
移動通信端末を含むことを特徴とする装置。
【請求項２３】
請求項１乃至２２のいずれか１つに記載の移動通信機にコンテンツを表示する方法であって、
前記複数のサービスの１つの前記コンテンツを通常視聴用に表示する第１のモードまたは前記複数のサービスの２つ以上の前記コンテンツを表示する第２のモードにおいて、前記表示を操作するステップを含むことを特徴とする方法。
【請求項２４】
電気通信網と無線通信を行うトランシーバと、
複数の放送サービスに対応するコンテンツを同時に受信する受信機と、
前記複数のサービスの少なくとも１つのコンテンツに対応する表示を提供するよう作動可能な表示領域を備えた表示装置と、を備えた移動通信機内のプロセッサ上で実行されるコンピュータプログラムであって、
前記プロセッサが、前記表示装置の動作を制御するよう作動可能であって、
前記プログラムが、前記表示装置により提供される前記表示を制御し、前記複数のサービスの１つの前記コンテンツを通常視聴用に表示する第１のモードと、前記複数のサービスの２つ以上に対応する前記コンテンツを表示する第２のモードとを提供するよう作動可能であることを特徴とするコンピュータプログラム。
【請求項２５】
電気通信網と無線通信を行うトランシーバと、複数の放送サービスに対応するコンテンツを同時に受信する受信機と、表示装置と、を備えた移動通信機用の、ユーザインターフェースであって、
前記ユーザインターフェースが、前記表示装置を制御し、前記複数のサービスの１つの前記コンテンツを通常視聴用に表示する第１のモードと、前記複数のサービスの２つ以上に対応するコンテンツを表示する第２のモードとにおいて、前記複数のサービスの少なくとも１つに対応するコンテンツを表示するよう作動可能であることを特徴とするユーザインターフェース。
【発明の詳細な説明】
【技術分野】
【０００１】
本発明は放送コンテンツの受信が可能な移動通信機に係り、より詳細には、ただしそれに限定されないが、衛星放送（ＤＶＢ−Ｓ）、地上波放送（ＤＶＢ−Ｔ）およびＤＶＢハンドヘルド（ＤＶＢ−Ｈ）などのデジタルビデオ放送（ＤＶＢ）基準にしたがって受信されるビデオコンテンツを受信し表示する装置に関する。
【背景技術】
【０００２】
これまで移動通信機は、モバイル・ネットワークを利用する端末と、放送ビデオコンテンツの受信機のどちらとしても作動可能なものが提案され、提供されてきた。この装置は、第２世代（２Ｇ），第２．５世代（２．５Ｇ），または第３世代（３Ｇ）のネットワークなどの移動通信ネットワークと通信を行うトランシーバを含む。この装置はまた、例えばＤＶＢの基準に従った放送ビデオコンテンツをＭＰＥＧの信号フォーマットを用いて単独で受信する受信機を含む。この装置では複数のデジタル放送のチャンネルを同時に放送することができ、ユーザはそれらの中からチャンネルを選択することができる。
【０００３】
これまでに提案されてきているものとしては、放送チャンネルにサービスガイド情報を含む装置があり、これによればチャンネルのコンテンツのサービスガイドを移動機器に格納することができる。通常このサービスガイド情報には、放送コンテンツおよび関連する伝送時間についてのテキスト説明が含まれる。その他にも、例えば無線アプリケーションプロトコル（ＷＡＰ）のポータルサイトなどの移動通信ネットワークを経由して、最新のサービスガイド情報をテキストとして提供する装置も提案されてきた。
【発明の開示】
【発明が解決しようとする課題】
【０００４】
しかし、移動機器の表示画面のサイズは、持ち運び可能な機器であるがゆえに制限され、また、サービスガイド情報をテキストとして提供するのでは放送チャンネルのコンテンツのうち限られたものしか見られない。さらに、サービスガイド情報をＷＡＰのポータルサイトを介して得る場合、情報の検索過程に時間がかかり不便である。
【０００５】
本発明は、これらの問題および欠点を克服することを目的とする。
【課題を解決するための手段】
【０００６】
本発明によって提供されるのは、電気通信網と無線通信を行うトランシーバと、複数のサービスに対応するデータコンテンツを同時に提供するよう作動可能な提供手段と、放送が配信される際にサービスのうち少なくとも１つを受信する受信機とを備えた移動通信機において、提供手段が、少なくとも１つのサービスのコンテンツに対応する可視表示を提供するよう作動可能な表示領域を備えた表示装置を含み、表示装置が、サービスの１つに対応するコンテンツを通常視聴用に表示する第１のモードと、２つ以上のサービスに対応するコンテンツを表示する第２のモードとにおいて作動可能であることを特徴とする移動通信機である。
【０００７】
移動機器は、第１のモードでの通常視聴用に第２のモードで表示されるサービスの中からサービスを選択するよう作動可能なユーザインターフェースを含んでよい。したがって、ユーザインターフェースは、通常視聴用に表示される特定のサービスを選択するために使用することができる。
【０００８】
本発明には、サービスに対応するコンテンツが選択用に表示されるという利点があり、そのためサービスを相対的にかなり早くかつ容易に選択することができる。
【０００９】
信号処理を簡易化するため、表示装置は第２のモードにおいてサービスの１つの画像データコンテンツを他より高品質で表示するよう作動可能に設定してもよい。例えば、使用可能なサービスのうち１つのサービスのコンテンツをビデオ表示し、他のサービスを静止画像またはそれらの連続表示として表示することができる。
【００１０】
第２のモードにおいて、異なる複数のサービスを高品質で、例えば連続してまたはユーザインターフェースを介してユーザの制御下で表示することもできる。インターフェースではまた、第２のモードでコンテンツを表示させる特定数のサービスをユーザが選択することも可能である。第２のモードで表示されたサービスは、それらのコンテンツに対応するタイルを寄せ集めて表示（モザイク表示）することもできる。タイルは、同じサイズでもよいし、一方が他方より大きくてもよい。例えば、相対的に大きいタイルは、他の小さいタイルより高品質で画像を表示することができる。ユーザインターフェースは、選択された１つのタイルのサイズおよび／または位置を変更可能である。
【００１１】
表示装置はまた、第２のモードにおいてサービスのコンテンツをピクチャー・イン・ピクチャー（ＰＩＰ）表示するよう作動可能に設定してもよい。ＰＩＰ表示では、サービスのうち第１のサービスのコンテンツに対応する相対的に小さい画像が、第２のサービスのコンテンツを表示する相対的に大きい領域内の相対的に小さい領域内に表示される。
【００１２】
小さい領域に表示される第１のサービスのコンテンツを大きい領域に切り替え、同時に大きい領域に表示される第２のサービスのコンテンツを小さい領域に切り替えるためユーザインターフェースを備えることが可能である。
【００１３】
本発明による装置はＤＶＢ放送を受信するよう作動可能であってよい。また、受信したビデオコンテンツを再生用に録画して表示するサービスの１つのコンテンツを提供するレコーダを含むことも可能である。
【００１４】
本発明はまた、移動通信機にコンテンツを表示する方法を含み、その方法は、複数のサービスのうち１つのサービスのコンテンツを通常視聴用に表示する第１のモードまたは２つ以上のサービスのコンテンツを表示する第２のモードにおける表示を操作するステップを含む。
【００１５】
本発明はさらに、本発明の方法を遂行するために移動通信機内のプロセッサ上で実行される、コンピュータプログラムを含む。
【００１６】
本発明はまた、電気通信網と無線通信を行うトランシーバと、複数の放送サービスに対応するコンテンツを同時に受信する受信機と、表示装置と、を備える移動通信機用のユーザインターフェースを含み、このユーザインターフェースは、表示装置を制御し、サービスの１つのコンテンツを通常視聴用に表示する第１のモードと、サービスの２つ以上に対応するコンテンツを表示する第２のモードとにおいて、サービスの少なくとも１つに対応するコンテンツを表示するよう作動可能である。
【００１７】
本発明の理解をより完全なものにするために、本発明の実施例を添付の図面を参照して例として説明する。
【発明を実施するための最良の形態】
【００１８】
図１は通信システムを概略的に示しており、このシステムにおいては、携帯電話端末ＵＥ１およびＵＥ２の形式のモバイルユーザ機器は、ＤＶＢ−Ｔネットワーク２からの通信を受信するよう設定されており、また、公衆陸上移動網（ＰＬＭＮ）３を介して通信を行うよう設定されている。ＤＶＢ−Ｔの携帯端末用の設定は、ＤＶＢハンドヘルドまたはＤＶＢ−Ｈとも呼ばれる。
【００１９】
ＤＶＢ−Ｔネットワーク２は、視聴覚コンテンツ、データファイルまたは画像などのコンテンツを端末ＵＥ１およびＵＥ２に送信する。コンテンツは、インターネットプロトコル（ＩＰ）のデータストリームサーバ（４１，４２）より獲得され、ネットワークはＤＶＢ−Ｔネットワークを用いてＩＰデータキャスティング（ＩＰＤＣ）サービスを提供する。このようなサーバ４が２つ、実際にはさらに多くてもよいが、例示されている。
【００２０】
ＤＶＢ−Ｔネットワーク２はセルラであり、アンテナ５１，５２，５３は地理的に間隔のあいた基地局Ｓ１，Ｓ２，Ｓ３においてネットワークの個々のセルを提供する。
【００２１】
ＤＶＢ−ＴにはＭＰＥＧ−２トランスポートストリームを使用するため、ＩＰデータはＤＶＢ伝送信号内にカプセル化される必要がある。１以上のサーバ４から供給されるＩＰデータグラムを含むデータストリームは、ＩＰカプセル化装置（図示せず）によりネットワーク２内でカプセル化される。カプセル化されたＩＰストリームはその後、１つもしくは複数の通信基地局に伝送される。この基地局はＭＰＥＧ−２トランスポートストリームＴＳ上でＤＶＢ−Ｔネットワークのセルを形成している。
【００２２】
データを含むＩＰパケットはＴＳパケット内で伝送されるマルチプロトコルカプセル化（ＭＰＥ）セクションに取り込むことが可能である。さらに詳細には、ＥＴＳＩ  ＥＮ  ３０１  １９２  Ｖ１．３．１（２００３年１月）「Ｄｉｇｉｔａｌ  Ｖｉｄｅｏ  Ｂｒｏａｄｃａｓｔｉｎｇ  （ＤＶＢ）  ＤＶＢ  ｓｐｅｃｉｆｉｃａｔｉｏｎ  ｆｏｒ  ｄａｔａ  ｂｒｏａｄｃａｓｔｉｎｇ」のセクション７を参照されたい。ＭＰＥセクションはまた、前方誤り訂正（ＦＥＣ）情報およびタイムスライシング情報を含んでもよく、それらによりデータが非連続的に伝送され、データがそれらに伝送されていないときに電源を切ることで、端末ＵＥのバッテリ電源の消費を抑えることができる。
【００２３】
ストリームサーバ４１，４２は、ＭＰＥＧフォーマットの従来のＤＶＢストリームを含む視聴覚コンテンツを提供することも可能である。
【００２４】
ＰＬＭＮ３は、ＰＬＭＮの個別のセルを供給するアンテナ６１と６２を有する２Ｇ，２．５Ｇ，または３Ｇのネットワークのうちいずれか適合するものを含んでよい。ＤＶＢ−ＴネットワークとＰＬＭＮ３の間に通信チャネルを設けてもよく、これにより例えばサービス情報の入れ替えのためのネットワーク間の双方向通信が可能となる。
【００２５】
図２は、携帯電話端末ＵＥ1の回路を例示している。端末ＵＥ２はこれと実質的に同じ設定である。端末は第１および第２のアンテナ８１，８２、受信機９１，およびトランシーバ９２を含む。第１のアンテナ８１と受信機９１はＤＶＢ−Ｔネットワーク２からの信号を受信するよう設定されている。第２のアンテナ８２とトランシーバ９２は、ＰＬＭＮ３との間での信号の伝送と受信に使用される。受信機９１およびトランシーバ９２はそれぞれ、受信した信号を増幅および復調する各々のＲＦ信号処理回路（図示せず）を含み、さらにチャネルの復号および分離を行う各々のプロセッサ（図示せず）を含む。
【００２６】
端末ＵＥ1はまた、コントローラ１０、ユーザインターフェース１１、ＲＡＭ／ＲＯＭメモリ１２、スマートカードリーダ１３、スマートカードリーダ１３内に受け入れられるスマートカード１４、コーダおよびデコーダ（コーデック）１５、対応する増幅器１７を有するスピーカ１６、および、対応する前置増幅器１９を有するマイク１８を含む。またメモリ１２は、例えばフラッシュ型メモリを含んでよい。フラッシュ型メモリは、取り外し可能かつ入れ替え可能なようにコネクタ（図示せず）内に受け入れられ、このメモリにはあらかじめ録画されたコンテンツが格納されるか、または受信されたコンテンツを録画して後で使用または配信するために使用することができる。
【００２７】
ユーザインターフェース１１は、ディスプレイ２０およびキーパッド２１を含む。ディスプレイ２０は画像およびビデオを表示するよう設定されており、カラー画像を表示することが可能である。この装置はまた、充電式電池２２を含む。
【００２８】
コントローラ１０は、メモリ１２に格納されたコンピュータ・ソフトウェアの命令のもと端末操作を行う。例えば、コントローラ１０はディスプレイ２０用に出力を提供し、キーパッド２１から入力を受信する。端末ＵＥ１の設定は図４Ａにより詳しく示されている。本発明の例では、キーパッド２１には電話用の通常の数字キー２１−０；２１−１．．．．２１−９がいわゆるソフトキー２１Ａ，２１Ｂとともに円形に設けられており、ソフトキー２１Ａ，２１Ｂの機能は、実行される動作に応じてコントローラ１０によって制御される。表示領域２０Ａ，２０Ｂもまたコントローラ１０によって制御され、ソフトキー２１Ａ，２１Ｂのその段階での機能をユーザに表示する。キーパッド２１はまたナビゲーションキー２１Ｎを含み、ナビゲーションキー２１Ｎは、本発明のある実施形態ではユーザによる操作が可能であり、カーソルに対応する照準領域の上下左右のコントロールを提供し、ユーザが異なる複数の表示領域を選択できるよう、ディスプレイ２０の領域のあたりに照準領域を移動する。キー２１Ｎはまた、下方に押すことができ、それにより照準領域で強調された表示アイテムを「選択する」機能を実行することができる。これについては以後により詳細に説明する。本発明のほかの実施形態では、ナビゲーションキー２１Ｎは５つ以上の位置を有することが可能であり、これらの位置を下方に押す位置と組み合わせることで、ディスプレイ内の選択された照準領域の例えば「拡大」、「縮小」、「引き下げ」などを行うことができる。
【００２９】
図３に示すように、本発明のある実施形態では、充電池２２、第１のアンテナ８１、および受信機９１は電池パック２３の中に組み込んでもよい。従来の携帯電話端末の電池パック（図示せず）を受信機９１を含む電池パック２３に差し替えることにより、また、適当なソフトウェアを設けることにより、従来の携帯電話端末はＤＶＢ−Ｔネットワーク２を介してデータを受信することができるよう修正することができる。あるいは、第１のアンテナ８１および受信機９１は、従来の携帯電話端末用のカバー（図示せず）に組み込んでもよく、その場合はカバーおよび端末に必要なソフトウェアを入れ替えることで、ＤＶＢ−Ｔネットワーク２からの伝送を受信するよう従来の端末を改良することができる。
【００３０】
端末ＵＥ１は、ＤＶＢ−Ｔの伝送を受信機９１を介してＤＶＢ−Ｔネットワーク２から受信することが可能である。この伝送は単一周波数で受信することができ、この単一周波数には複数の異なる視聴覚サービスおよびその他のコンテンツが、時分割多重によって時間分割されたバーストとして含まれる。
【００３１】
第１のモード
端末ＵＥ１の操作の第１のモードでは、受信されたＤＶＢ−Ｔ信号は受信機９１により増幅、復調され、またその伝送路は復号および分離される。結果的に分離された信号はフィルタにかけられ、関連するサービスのデータグラムのバーストが抽出される。バーストには次のバーストの発生に関する情報が含まれており、それにより受信機は電池の消費を抑えるためバーストとバーストの間で電源を切ることが可能である。データグラムバーストは、コントローラ１０およびメモリ１２により提供されるスライスバッファに読み込まれ、時間分割されていないデータグラムのストリームが発生する。データグラムストリームは実質的に、継続的および／またはほぼ継続的に起こる。結果もたらされるデータストリームは、コントローラ１０および表示装置２０により提供され、ビデオ信号については表示装置２０上に表示される。音声信号は、コーデック１５および増幅器１７を介してスピーカ１６まで送られる。
【００３２】
第２のモード
端末ＵＥ１はまた、第２のモードでの操作も可能であり、第２のモードでは２つ以上のサービスが同時に分離および表示される。この場合、２つ以上の放送サービスに対応する受信機９１により、２つ以上のデータグラムストリームが発生し、ストリームがコントローラ１０により供給され、表示装置２０により同時に表示される。ユーザは配信と表示が同時になされるサービスを選択することができる。
【００３３】
受信機９１はＰＬＭＮ３との通信に使用され、従来の移動通信プロトコルを用いて、コントローラ１０の命令のもと声およびデータの双方向通信を実現する。この際、表示が表示装置２０に供給され、スピーカ１６とマイク１８により音声が扱われる。
【００３４】
モザイク表示の使用（第２のモード）
本発明のある実施形態を以下に説明する。本実施形態では、同時に「放送中の」ＤＶＢ−Ｔ放送のコンテンツに対応する複数の表示が前述の第２のモードで表示され、ユーザはそれらのうち１つを、第１のモードにおいて表示画面２０全体で全画面表示するために選択することができる。選択処理は、図４および５を参照してより詳細に説明する。
【００３５】
まず図４Ａと図５のステップＳ５．１を参照されたい。ユーザはキーパッド２１を操作し、ＤＶＢ−Ｔネットワークを介してＵＥ１により受信可能な、同時入手が可能な放送サービスに対応する表示を選択する。この情報は、ＰＬＭＮ３（図１参照）を介しＷＡＰのポータルサイトから入手してもよい。また、サービスチャンネル上でＤＶＢ−Ｔネットワークを介して伝送されるデータを発展させた電子サービスガイドとして、端末のメモリ１２に格納してもよい。図４Ｂから明らかなように、５つのサービスが同時に入手可能である。（ただしさらに多くのサービスも、入手してスクロール操作で視ることができる）本実施例では、ニュースサービス、２つのサッカーサービス、またＭＴＶとＲＴＣのサービスが選択用に入手可能である。
【００３６】
ふたたび図４Ａを参照すると、ユーザはソフトキー２１Ｂを操作して、モザイク表示のオプションを選択する。ユーザは、入手可能なサービスを３，４または５つ、モザイク表示するよう選択でき、コントローラ１０によって表示画面２０上にモザイク表示のオプションＭ３，Ｍ４，およびＭ５が表示される。ユーザはナビゲーションキー２１Ｎを操作して照準領域を移動させ、モザイク表示の選択肢Ｍ３〜Ｍ５の中から１つを選択する。この実施例では、ユーザはモザイク表示のオプションＭ４を強調表示させ、続いてナビゲーションキー２１Ｎを押すことにより、同時に入手可能な４つのチャンネルのモザイク表示を選択する。
【００３７】
ステップＳ５．２および図４Ｂを参照すると、次にユーザはどのサービスをモザイク表示するかを選択する。ユーザはナビゲーションキー２１Ｎを使用して個々のダイアログボックス２４−１、２，３，４，５に照準領域を移動させ、ナビゲーションキー２１Ｎを押すかあるいはソフトキー２１Ｂを操作することで各ダイアログボックスに対応するサービスを選択可能である。ソフトキー２１Ｂは、コントローラ１０により「選択」機能を同時に付与することもできる。この場合にモザイク表示用に選択可能な４つのサービスは、それぞれに対応するダイアログボックスに「Ｘ」で表される。
【００３８】
その後、図５のステップＳ５．３で示されているように、選択された４つのサービスは図４Ｃのように寄せ集められた状態で表示される。本実施例では、ニュースサービス、サッカーサービス、ＭＴＶのサービスおよびＲＴＣのサービスが選択され、同じサイズの４つの画像タイルＴ１〜Ｔ４として隣接表示されている。画像タイルＴ１〜Ｔ４は、それらのうち１つが他の画像タイルより高画質で表示されてもよい。本実施例では、タイルＴ１が高画質で表示され、タイルの周りを囲うベルト２５により強調表示されている。したがって、タイルＴ１の画像は、タイルＴ１に対応するサービス（ここではニュースサービス）からのリアルタイムでのビデオストリーミングコンテンツに対応していてよい。タイルＴ２〜Ｔ４に表示されるサービスは、例えばＴ１より低画質、低ピクセル濃度であって、または、それらのサービス用にビデオから複数のサンプル画像としてそれぞれ時間間隔をあけて取り出したものが連続して供給される、つまり、静止画像が低画質で連続表示される。
【００３９】
本発明のある実施形態によれば、コントローラ１０は高画質表示用にタイルＴの１つを連続して選択し、よって周囲を強調するベルト２５をあるタイルから他のタイルへと所定の時間、例えば３０秒後に移動させることができる。また、ユーザはナビゲーションキー２１Ｎを操作し、表示されたタイルの１つを自身の好みに応じて選択して高画質表示することができる。ナビゲーションキー２１Ｎを操作して、初期設定によって起こるコントローラ１０による連続作動を無効にすることができる。それにより図４Ｄに示すように、周囲を強調するベルト２５はタイルＴ１からタイルＴ２へ移動し、Ｔ２は他のタイルと比較して高品質で表示される。
【００４０】
図４Ｅでは、強調領域２５が、表示のサッカーサービスに対応するタイルＴ４に移動している。図５のステップＳ５．４に示すとおり、ここでユーザがタイルの１つを全画面表示用、すなわち、ディスプレイ２０の操作可能な視聴領域全体での表示用に選択できる。選択を行うには、ナビゲーションキー２１Ｎを押すか、あるいはソフトキー２１Ｂを操作してオプションメニューを開き、そこから「選択」オプションを選択すればよい。
【００４１】
上記を行うと、選択されたサービスが図４Ｆのようにディスプレイ２０の全視聴領域に表示される。
【００４２】
第１のモード、すなわちサービスがディスプレイ２０の視聴領域全体に表示されているときに、ユーザはナビゲーションキー２１Ｎを押すか、あるいはソフトキー２１Ｂによる選択が可能なオプションメニューから、他のサービスの全画面表示へと切り替えることができる。「戻る」機能に対応しているソフトキー２１Ａを操作すると、モザイク表示に戻る。
【００４３】
したがって、以上に説明されているモザイク表示の選択方法は、放送中のサービスから全画面表示用にビデオストリーミングを選択するための、便利かつユーザが利用しやすい方法を提供する。
【００４４】
図４を参照して説明する実施例において、タイルＴ１〜Ｔ４は全て同じサイズであり、隣接するように配置されている。しかし、全てが同じサイズのタイルではない他の構成も可能であり、互いに重なり合ってもよい。さらに、タイルのサイズはユーザによって選択可能である。以下に図６を参照していくつかの実施例を説明する。
【００４５】
図６Ａを参照すると、ディスプレイ２０内にタイルＴ１〜Ｔ４が概略的に示されている。ユーザはこれらのうち選択された１つのタイルのサイズを拡大するためキーパッド２１を操作できる。この実施例では、タイルＴ１，Ｔ３，Ｔ４が矢印Ｘの方向に覆われるようにタイルＴ２を拡大することができる。また、タイルＴ２が他のタイルＴ１，Ｔ３，Ｔ４と隣接するように、タイルＴ２を矢印Ｘ’の方向へ戻し、図４の構成に戻すこともできる。この配置により、ユーザはタイルの１つを一時的に拡大して、そこに表示されているチャンネルのコンテンツをより詳細に見ることができる。
【００４６】
図６Ｂに示す他の例においては、選択された例えばＴ２のタイルが他のタイルを覆うように拡大でき、より詳しくみることができる。タイルＴ２は、他のタイルを覆っている表示位置Ｔ２’まで拡大される。表示タイルＴ２’は、キーパッド２１の適切な操作により選択可能である。例えば、ナビゲーションキー２１Ｎは「北」、「北東」、「東」、「南東」などに対応する８方向の位置を有することができ、選択されたタイルＴのサイズを斜方向に変更できる。タイルＴ２’は他のタイルに比べ高品質な表示が可能である。もとのタイルＴ２はもとの表示品質でよく、またはその場所は空白であってよい。
【００４７】
図６Ｃの修正において、選択されたタイルＴ２はキーパッド２１の１つ以上のキーを用いることで矢印Ｘの方向に拡大され、他のタイルＴ１，Ｔ３およびＴ４は、拡大されたＴ２と隣接した状態で残るよう相応に縮小される。これにより、ユーザはタイルＴ２を一時的により詳細に見ることができ、その後、切り替えてタイルを矢印Ｘ’の方向に以前のサイズまで戻すことができる。拡大されたタイルＴ２は他のタイルより高品質で表示できる。
【００４８】
ピクチャー・イン・ピクチャー表示の使用（第２のモード）
以下に説明する本発明のある実施形態では、同時になされるＤＶＢ−Ｔ放送に対応する２つの表示が前述の第２のモードにおいてピクチャー・イン・ピクチャー（ＰＩＰ）表示で表示され、ユーザはその２つの間で切り替えができ、希望すればそれに続いて第１のモードにてディスプレイ２０全体での全画面表示が提供される。この処理について図７と８を参照してより詳細に説明する。
【００４９】
図７Ａでは、以前に図４Ａおよび４Ｂを参照して説明したように、同時入手が可能なストリーミングサービスが、電子サービスガイドまたはＷＡＰのポータルサイトを参照することにより端末のディスプレイ２０に表示される。その後、図８のステップＳ８．１において、図７Ａに示すダイアログボックス２４−１〜２４−５のうち１つをチェックすることにより、以前に図４Ｂを参照し説明したように、入手可能なサービスの１つが表示用に選択される。図７Ａに示す例では、ボックス２４−１をチェックすることによりニュースサービスが選択されている。その結果の表示は図７Ｂに示されており、表示画面２０の可視領域全体にニュースサービスが表示されている。
【００５０】
図７ＢおよびステップＳ８．２を参照すると、ソフトキー２１Ｂを使用して「オプション」２０Ｂを選択することで入手可能なメニューオプションによって、ＰＩＰモードが選択される。メニューオプションとしてＰＩＰが選択可能であると示す、キャプション２６が表示され、ナビゲーションキー２１Ｎでこれを選択する。
【００５１】
その結果の表示は図７Ｃに示されており、ここではＰＩＰ表示のできるサービスがユーザに表示されている。その後、ステップＳ８．３において、ユーザはＰＩＰモード用にピクチャー・イン・ピクチャーとして表示するための第２のサービスを選択する。ＰＩＰ表示用のサービスはこれと同じ方法で、ダイアログボックス２４−１〜２４−５の１つをチェックすることによりそれが主要な表示として選択される。この実施例では、ＰＩＰ表示用にサッカーサービスを選択するために、ダイアログボックス２４−２がチェックされている。
【００５２】
その結果のＰＩＰ表示は図７Ｄに示されており、ニュースサービスが主要なタイル画像Ｔ１として表示され、主要な画像タイルＴ１の中でＴ１より小規模に、ＰＩＰ画像Ｔ２が表示されている。
【００５３】
タイルＴ１とＴ２で表示されるコンテンツは切り替えが可能である。これは図８のステップＳ８．４として概略的に、また図７Ｅおよび７Ｆでも示されている。ソフトキー２１Ｂを用いて切り替え機能を選択することで、ユーザはタイルＴ１とＴ２のコンテンツを切り替えることができる。ソフトキー２１Ｂを連続して操作すると、コンテンツが連続して切り替わる。このようにして、ユーザは２つのサービスにおいて受信される最新のビデオストリームを検討することができる。また、希望すれば、ユーザはステップＳ８．５においてサービスの１つを表示用だけに選択し、１つのサービスがディスプレイ２０の表示領域全体に表示されるようにＰＩＰ表示を切り替えることができる。
【００５４】
特許請求の範囲に記載されている本発明の範囲内であれば多くの修正や変更が可能である。例えば、ピクチャー・イン・ピクチャー表示Ｔ２のサイズは、ソフトキー２１Ａまたは２１Ｂを使用するなどキーパッド２１を使ったユーザの制御により調整可能である。タイルＴ２の位置もまた、図７Ｅと７ＦでのＴ２の位置を比較するとわかるとおり、ユーザにより調整が可能または自動的に切り替わる。また、既に説明したようにＴ１とＴ２の画質は異なっていてよい。
【００５５】
本発明による移動通信機は、音声、ビジュアル、テキストコンテンツまたは他のコンテンツを配信するのに使用することができる。本発明は画像またはビデオを表示することに限定されず、いかなる種類のデジタルコンテンツをも消費または配信できる。選択されたサービス、例えば音声ファイルが視覚的に表示可能なコンテンツを含んでいない場合、対応するタイルは空白のままであってよく、あるいは、端末機に格納されているアイコンまたは画像（場合によっては動画でもよい）を、音声ファイルに組み込まれているテキストデータに加えて、またはそれのかわりに表示させることができる。格納されたアイコンまたは画像は、伝送される放送から受信でき、または端末機にダウンロードするかユーザ自身が作ることができる。
【００５６】
また、端末ＵＥ１用のデータストリーミングのサービスは図１に示すＰＬＭＮ３を介し受信可能である。
【００５７】
さらに、配信対象は消費時に送信されるコンテンツに限定されず、先に受信され格納されたコンテンツをモザイク表示用のタイルまたはＰＩＰに入力してもよい。これを行うため、端末のメモリ１２は、ビデオストリームを録音してその後に再生し、そしてさらなるサービスの表示を提供できるように、十分な大きさを有していてよい。また、モザイク表示用のタイルまたはＰＩＰへの入力として、例えば、機能的にメモリ１２の一部を含んでよいフラッシュメモリスティックなどの取り外し可能な格納機器に事前に記録されたコンテンツを使用することもできる。このようなコンテンツは、放送サービスと同様の方法でメニューから選択可能である。よってメモリ１２は、事前に記録された、例えば音楽ビデオやビデオクリップ、個人のデジタルカメラで撮った画像のスライドショーなどといった、装置のユーザの個人的なもので放送サービスに関係のないサービスに対応するコンテンツを含んでいてよく、これらのコンテンツはそれら自体が携帯端末ＵＥ内に含まれていてもよい。これによりユーザは、上述したようにモザイク表示を使用してメモリ１２から個人のサービスを選択できる。
【００５８】
また、ＰＩＰモードは、例えば放送ニュースサービスやサッカーの試合を小さく表示しながら、メモリ１２から個人のサービスを大きく表示するのに用いることもできる。これによりユーザは、初期設定としてメモリから個人サービスを見ることができ、興味のあるニュースが放送されたときはニュースサービスに、またサッカーの試合で得点が入ったときはサッカーサービスに、切り替えることができる。装置ＵＥ１は携帯電話端末として説明してきたが、これは個人用携帯情報端末（ＰＤＡ）または、少なくともＤＶＢ−Ｔネットワーク２からの信号を受信できる他の携帯端末を含んでもよい。装置ＵＥ１はまた、車両の端末のように準固定または準移動式であってもよい。
【図面の簡単な説明】
【００５９】
【図１】本発明のある実施形態によるＤＶＢ−Ｔのセルラ・ネットワークおよび移動通信ネットワークを含む移動通信システムの概略ブロック図である。
【図２】本発明のある実施形態によるＤＶＢ−Ｔ伝送を受信するよう設定されている携帯電話端末の回路のブロック図である。
【図３】本発明のある実施形態による端末の電池パックを示す。
【図４】本発明のある実施形態による、モザイク表示を使用してＤＶＢ−Ｔサービスを選択するために携帯電話端末ＵＥ１上に提供される、一連の表示を示す。
【図５】本発明のある実施形態による、モザイク表示を提供するための一連の処理ステップを示す。
【図６】本発明の複数の実施形態による代替可能なモザイク表示を示す。
【図７】本発明のある実施形態による、ＰＩＰ表示を使用してＤＶＢ−Ｔサービスを選択するために携帯電話端末ＵＥ１上に提供される一連の表示を示す。
【図８】本発明のある実施形態によるＰＩＰ表示を提供するための一連の処理ステップ。
【符号の説明】
【００６０】
２  ＤＶＢ−Ｔネットワーク
３  公衆陸上移動網（ＰＬＭＮ）
４  データストリームサーバ
５  アンテナ
６  アンテナ
７  通信チャネル
８  アンテナ
９１  受信機
９２  トランシーバ
１０  コントローラ
１１  ユーザインターフェース
１２  ＲＡＭ／ＲＯＭメモリ
１３  スマートカードリーダ
１４  スマートカード
１５  コーダおよびデコーダ（コーデック）
１６  スピーカ
１７  増幅器
１８  マイク
１９  前置増幅器
２０  ディスプレイ
２０Ａ，２０Ｂ  表示領域
２１  キーパッド
２１Ａ，２１Ｂ  ソフトキー
２１Ｎ  ナビゲーションキー
２２  充電池
２３  電池パック
２４−１，２，３，４，５  ダイアログボックス
２５  ベルト
Ｓ１，Ｓ２，Ｓ３  基地局
Ｔ  タイル
ＵＥ１，ＵＥ２  携帯電話端末
【図１】
2007525113.tif 000003
【図２】
2007525113.tif 000004
【図３】
2007525113.tif 000005
【図４】
2007525113.tif 000006
【図５】
2007525113.tif 000007
【図６】
2007525113.tif 000008
【図７】
2007525113.tif 000009
【図８】
2007525113.tif 000010
【国際調査報告】
2007525113.tif 000011
2007525113.tif 000012
2007525113.tif 000013